(57)【特許請求の範囲】
【請求項１】
フレキシブルコンテナの底面の排出口と投入容器の投入口との接続方法であって、投入口先端内径よりも上部内径が小径でかつ下部内径が該上部内径より大径で内面に凹部を形成した断面凹状のゴム製リングを、排出口に外はめしたのち、排出口を投入口の外周面に添わせ、前記ゴム製リングの凹部を投入口上端外周にはめ合わせて接続することを特徴とするフレキシブルコンテナの接続方法。
【請求項２】
フレキシブルコンテナの底面の排出口と投入容器の投入口との接続方法であって、投入口先端内径よりも上部内径が小径でかつ下部内径が該上部内径より大径で内面に凹部を形成した断面凹状のゴム製リングを、排出口と内装の円筒状樹脂フィルムとの間にはめたのち、円筒状樹脂フィルムを投入口の外周面に添わせ、前記ゴム製リングの凹部を投入口上端外周にはめ合わせて接続することを特徴とするフレキシブルコンテナの接続方法。
【請求項３】
フレキシブルコンテナの底面の排出口と投入容器の投入口との接続方法であって、上端接続部と下方にいくほど小径の載置部とからなる接続治具を用い、載置部を投入容器の投入口にセットし、接続治具の上端接続部内径よりも上部内径が小径でかつ下部内径が該上部内径より大径で内面に凹部を形成した断面凹状のゴム製リングを、排出口に外はめしたのち、排出口を接続治具の上端接続部外周面に添わせ、前記ゴム製リングの凹部を接続治具の上端接続部外周にはめ合わせて接続することを特徴とするフレキシブルコンテナの接続方法。
【発明の詳細な説明】
【０００１】
【発明の属する技術分野】
この発明は、化学工業品、合成樹脂、窯業土石品、飼料、食品等の輸送容器、梱包容器、貯蔵容器等に使用されるフレキシブルコンテナからタンク、反応容器等へ収納物を投入する場合の接続方法に関する。
【０００２】
【従来の技術】
フレキシブルコンテナは、折り畳みができる柔軟性の材料を用いて袋状に造られている。フレキシブルコンテナの形状は、例えば、円筒型の場合、図9に示すように、本体91の上部周面に対をなす係止ベルト92の少なくとも2組を相対設し、各対の係止ベルト92に吊りロープ93のロープ端を結び付けて吊り具が形成されている。そして、本体91の天面には、開口から外に引き出せる柔軟な円筒布材の注入口94と、底面に開口から外に引き出せる柔軟な円筒布材の排出口95が設置されている。
【０００３】
上記注入口94には、外周面に注入口しばり紐96が設けられており、注入口94を注入口しばり紐96で縛って開口から本体91内に押し込み、上蓋97を開口に被せ、開口周縁に多数設けた上蓋押さえ98を上蓋押さえロープ99で絞り込んで、上蓋97を上蓋押さえ98で固定して開口を閉鎖するように構成している。排出口95には、外周面に排出口しばり紐100が設けられており、排出口95を排出口しばり紐100で縛って開口から本体91内に押し込み、下蓋101を開口に被せ、開口周縁に多数設けた下蓋押さえ102を下蓋押さえロープ103で絞り込んで、下蓋101を下蓋押さえ102で固定して開口を閉鎖するように構成している。
【０００４】
内容物が異物混入や湿気を嫌う品物の場合は、フレキシブルコンテナの内装材としてポリ塩化ビニールフィルム、ポリエチレンフィルム、ポリプロピレンフィルム等の柔軟な円筒状樹脂フィルム104を使用している。内容物を投入したあと円筒状樹脂フィルムは、フレキシブルコンテナから抜き出して廃棄している。また、内容物が異物混入や湿気が問題とならない品物の場合は、内装材を使用しないでフレキシブルコンテナに直接内容物を注入している。フレキシブルコンテナは、通常0.5〜3Tonの大量包装であり、また、コンテナの空袋は、折り畳んで返送できる経済性がある。
【０００５】
フレキシブルコンテナ本体は、樹脂加工布またはゴム引布よりなる布製である。樹脂加工布の基布は、寸法安定性のよい高強度ポリエステルフィラメントの平織物が多く使用されている。被覆材料としては、ポリ塩化ビニールが圧倒的に多く、エチレン-酢酸ビニル共重合体、塩素化ポリエチレンが食品用、耐熱用に使われ、その接合は高周波ウエルダーによる融着加工で行われている。ゴム引布基布には、ゴムとの接着性のよいナイロンフィラメントの平織物が使用されている。被覆材料は、主にクロロプレンゴムが使われ、その接合は未加硫ゴムを接合後加硫する方法と、接着剤接合がある。
【０００６】
フレキシブルコンテナの種類は、長期間繰り返して使用することが目的のランニング用コンテナと、原則として1回の使用が目的のワンウェイ用コンテナに分類できる。形状は、円筒型と角形がある。寸法は、円筒型の場合、直径が800〜1500mm、高さ700〜1200mm、容積3000L以下、充填量は3t以下となっている。
【０００７】
フレキシブルコンテナへの内容物の注入は、内容物が異物混入や湿気を嫌う場合、円筒状樹脂フィルムをフレキシブルコンテナの内装材として使用し、排出口内の円筒状樹脂フィルムのコンテナ本体出口近傍をフィルムしばり紐で縛って閉じ、コンテナ本体に排出口より押し込み、排出口を排出口しばり紐で縛って閉じ、コンテナ本体に底面の開口より押し込んだのち、下蓋を底面の開口に被せ、下蓋押さえロープを絞って下蓋押さえで下蓋を固定して底面の開口を閉止した後、注入口の円筒状樹脂フィルムに内容物を注入している。
【０００８】
注入が完了すれば、注入口の円筒状樹脂フィルムのコンテナ本体近傍をフィルムしばり紐で縛って閉じ、コンテナ本体に注入口より押し込み、注入口を注入口しばり紐で縛って閉じ、コンテナ本体に天面の開口より押し込んだのち、上蓋を天面の開口に被せ、上蓋押さえロープを絞って上蓋押さえで上蓋を固定して天面の開口を閉止している。
【０００９】
また、内容物が異物混入や湿気を問題としない場合は、円筒状樹脂フィルムを内装材として使用しないで、フレキシブルコンテナの排出口を排出口しばり紐で縛って閉じ、コンテナ本体に底面の開口より押し込んだのち、下蓋を底面の開口に被せ、下蓋押さえロープを絞って下蓋押さえで下蓋を固定して底面の開口を閉止した後、ホッパー等に収納した内容物を開放した注入口から注入する。
【００１０】
注入が完了すれば、注入口を注入口しばり紐で縛って閉じ、コンテナ本体に天面の開口より押し込んだのち、上蓋を天面の開口に被せ、上蓋押さえロープを絞って上蓋押さえで上蓋を固定して天面の開口を閉止している。
【００１１】
フレキシブルコンテナの内容物をタンク、反応容器等へ投入する場合は、例えば、円筒状樹脂フィルムを内装材として使用時、チェンブロックやホイスト等によりフレキシブルコンテナの吊りロープを介して投入容器の投入口上まで吊り上げる。そして、図10に示すように、フレキシブルコンテナ111の底面の開口を図示しない下蓋押さえロープを緩めて下蓋押さえを開放し、下蓋を取り外したのち、排出口112を本体から引き出し、排出口しばり紐113を解き外す。
【００１２】
そして、円筒状樹脂フィルム114の先端部を排出口112から引き出し、投入容器の開放した投入口115の外周面に円筒状樹脂フィルム114の先端部を添わせて垂らしたのち、紐116を用いて投入口115の上部外周に締めつけて接続固定する。しかるのち、円筒状樹脂フィルム114を縛っているフィルムしばり紐117を解き外し、内容物を投入容器へ投入している。内装材の円筒状樹脂フィルム114は、内容物を投入後、フレキシブルコンテナ111から抜き出して廃棄している。
【００１３】
【発明が解決しようとする課題】
しかし、排出口や円筒状樹脂フィルムは、紐を用いて投入口の上部外周に排出口や円筒状樹脂フィルムを締めつけて接続固定しても、柔軟性を有するため内容物の投入完了頃には矢印で示すように紐がずれ、図11に示すように投入口115の上端外周にたるみが生じる。特に円筒状樹脂フィルム114は、フレキシブルコンテナの本体内径と同じ大きさであるため、投入容器の投入口上端と締めつけ部とに隙間121(約5cm)が発生し、この部分に内容物が溜まる。
【００１４】
隙間121に溜まった内容物は、投入完了後に円筒状樹脂フィルム114と共に作業員が手で押し上げて投入口115に投入しているが、溜まりをなくするのは困難である。このため、溜まった内容物は、円筒状樹脂フィルム114を投入口に締めつけている紐116を取り外した時に、飛散あるいは周辺に落下する。この飛散あるいは周辺に落下した内容物は、無駄になると共に、内容物の種類によっては環境が悪くなり、清掃処理に時間がかかるという欠点を有している。
【００１５】
この発明の目的は、上記従来技術の欠点を解消し、フレキシブルコンテナの排出口からタンク、反応容器等の投入口へ内容物を投入する際、内容物の飛散あるいは周辺への落下を防止できるフレキシブルコンテナの接続方法を提供することにある。
【0016】
【課題を解決するための手段】
この発明の請求項1のフレキシブルコンテナの接続方法は、異物混入や湿気が問題とならない内容物に対応するもので、投入容器の投入口先端内径よりも上部内径が小径でかつ下部内径が該上部内径より大径で内面に凹部を形成した断面凹状のゴム製リングを、排出口に外はめする。そして、排出口を投入口の外周面に添わせ、前記ゴム製リングの凹部を弾力性を利用して投入口先端外周にはめ合わせて接続するのである。
【００１７】
このように、投入容器の投入口先端内径よりも上部内径が小径でかつ下部内径が該上部内径より大径で内面に凹部を形成した断面凹状のゴム製リングを、排出口に外はめしたのち、排出口を投入口の外周面に添わせ、前記ゴム製リングの凹部を投入口先端外周にはめ合わせて接続することによって、ゴム製リングで絞られた投入口先端部の排出口の径は、投入口先端内径よりも小径となるため、排出口がたるんでも手でたるみ部を持ち上げれば内容物を無駄なく、安全、容易に投入容器に投入することができる。
【００１８】
この発明の請求項2のフレキシブルコンテナの接続方法は、異物混入や湿気が問題となる内容物に対応するもので、投入口先端内径よりも上部内径が小径でかつ下部内径が該上部内径より大径で内面に凹部を形成した断面凹状のゴム製リングを、排出口と内装の円筒状樹脂フィルムとの間にはめる。そして、排出口の内装の円筒状樹脂フィルムを投入口の外周面に添わせ、前記ゴム製リングの凹部を投入口先端外周にはめ合わせて接続するのである。
【００１９】
このように、投入口先端内径よりも上部内径が小径でかつ下部内径が該上部内径より大径で内面に凹部を形成した断面凹状のゴム製リングを、排出口と内装の円筒状樹脂フィルムとの間にはめたのち、排出口の樹脂フィルムを投入口の外周面に添わせ、前記ゴム製リングの凹部を投入口先端外周にはめ合わせて接続することによって、ゴム製リングで絞られた投入口先端部の樹脂フィルムの径は、投入口先端内径よりも小径となるため、樹脂フィルムがたるんでも手でたるみ部を持ち上げれば内容物を無駄なく、安全、容易に投入容器に投入することができる。
【００２０】
この発明の請求項3のフレキシブルコンテナの接続方法は、異物混入や湿気が問題とならない内容物に対応するもので、上端接続部と下方にいくほど小径の載置部とからなる接続治具を用い、投入容器の投入口に接続治具の載置部をセットする。そして、接続治具の上端接続部内径よりも上部内径が小径でかつ下部内径が該上部内径より大径で内面に凹部を形成した断面凹状のゴム製リングを、排出口に外はめしたのち、排出口を接続治具の上端接続部外周面に添わせ、前記ゴム製リングの凹部を接続治具の上端接続部外周に弾力性を利用してはめ合わせて接続するのである。
【００２１】
このように、上端接続部と下方にいくほど小径の載置部とからなる接続治具を用い、投入容器の投入口に接続治具の載置部をセットし、接続治具の上端接続部内径よりも上部内径が小径でかつ下部内径が該上部内径より大径で内面に凹部を形成した断面凹状のゴム製リングを、排出口に外はめしたのち、排出口を接続治具の上端接続部外周面に添わせて垂らし、前記ゴム製リングの凹部を接続治具の上端接続部外周に弾力性を利用してはめ合わせて接続することによって、ゴム製リングで絞られた接続治具の上端接続部の排出口の径は、上端接続部内径よりも小径となるため、排出口がたるんでも手でたるみ部を持ち上げれば内容物を無駄なく、安全、容易に投入容器に投入することができる。また、接続治具の載置部は、下方にいくほど小径としたことによって、載置部の上端から下端までの内径を有する投入口にセットでき、内径の異なる投入口に1個の接続治具とゴム製リングで対応することができる。
【００２２】
【発明の実施の形態】
この発明における投入容器の投入口先端内径または接続治具の上端接続部内径とは、投入口の形状が圧倒的に円形の場合が多いため、このように表現したものである。したがって、投入口の形状が正方形の場合は、投入口先端内径または接続治具の上端接続部内径が、一辺の長さを指すものであることは云うまでもない。
【００２３】
この発明で用いるゴム製リングの形状は、投入容器の投入口または接続治具の上端接続部の形状に相似形で、かつ、上部内径は投入口先端内径よりも小さくかつ下部内径は該上部内径より大きくする。例えば、投入口または接続治具の上端接続部の形状が円形で、内径がA、投入口下の外径がBの場合、ゴム製リングの上部の内径Dは、D=A−(10〜20)mmと少し小さくする。また、ゴム製リングの下部の内径Cは、C=B−(1〜3)mmと少しきつめにすれば、ゴム製リングによる締め付け効果が得られる。投入容器の投入口または接続治具の上端接続部の形状が正方形の場合は、ゴム製リングの形状も正方形とすることはいうまでもない。ゴム製リングの材質としては、弾力性を有するもので、天然ゴム、各種合成ゴムを使用することができる。
【００２４】
ゴム製リングの断面形状は、内面に凹部を形成した断面凹状とし、凹部を投入容器の投入口の頂部形状あるいは接続治具の上端接続部形状に合わせて製造する。例えば、投入口の頂部にフランジが設けられている場合は、ゴム製リングを内面に凹部を形成した断面凹状とし、凹部をフランジ形状に合わせ、フランジに凹部をはめ合わせて排出口または円筒状樹脂フィルムを投入口の先端外周面または接続治具の上端接続部の外周面に固定する。
【００２５】
投入容器の投入口とフレキシブルコンテナの接続は、接続治具を使用しない場合、排出口または内装の円筒状樹脂フィルムにゴム製リングを外はめし、投入容器の開口した投入口の外周面に排出口または円筒状樹脂フィルムを添わせて垂らしたのち、ゴム製リングの凹部を投入口の上端外周面に沿ってはめ合わせ、排出口または内装の円筒状樹脂フィルムを投入口の外周面に固定する。
【００２６】
そして、排出口または内装の円筒状樹脂フィルムを縛っていた排出口しばり紐またはフィルムしばり紐を解き、フレキシブルコンテナの内容物を投入口から投入容器内に投入する。この場合、排出口または円筒状樹脂フィルムの投入口の入口部は、ゴム製リングによって投入口の開口よりも小さく絞られているので、投入口と排出口または円筒状樹脂フィルムに隙間がなく、内容物が溜まることもない。
【００２７】
フレキシブルコンテナの内容物の投入が完了した後は、ゴム製リングを投入口の上端外周面から外したのち、排出口または円筒状樹脂フィルムを投入口から離脱させ、ゴム製リングを排出口または円筒状樹脂シートから抜き出し、投入容器の投入口を閉止する。そして、円筒状樹脂フィルムを使用時は、円筒状樹脂フィルムをフレキシブルコンテナから抜き出して廃棄する。しかるのち、排出口を排出口しばり紐で縛って閉じ、底面の開口からコンテナ本体内に押し込み、下蓋を底面の開口に被せ、開口周縁に多数設けた下蓋押さえを下蓋押さえロープで絞り込んで、下蓋押さえで下蓋を固定して開口を閉鎖したのち、フレキシブルコンテナを吊り降ろす。抜き出したゴム製リングは、所定場所に保管する。
【００２８】
接続治具を使用する場合は、排出口にゴム製リングを外はめし、開口した投入容器の投入口に接続治具の載置部をセットする。そして、接続治具の上端接続部の外周面に排出口を添わせて垂らしのち、ゴム製リングの凹部を接続治具の上端接続部外周面に沿ってはめ合わせ、排出口を接続治具を介して投入口に接続する。
【００２９】
そして、排出口を縛っていた排出口しばり紐を解き、フレキシブルコンテナの内容物を接続治具を介して投入口から投入容器内に投入する。この場合、排出口の接続治具の上端接続部の入口部は、ゴム製リングによって上端接続部の開口よりも小さく絞られているので、上端接続部と排出口に隙間がなく、内容物が溜まることもない。
【００３０】
接続治具の載置部を下方ほど小径としたため、投入容器の投入口の径が、接続治具の載置部の上端から下端の径までであれば、1個の接続治具とゴム製リングで対応することができ、投入容器の投入口径に合わせて専用のゴム製リングを準備する必要もなくなる。しかし、内容物が異物混入を嫌う場合は、接続治具に付着した物質や、接続治具と投入口間の隙間から異物混入の恐れがあるため、接続治具を使用することはできない。
【００３１】
【実施例】
実施例1
以下、この発明の請求項2の内容物が異物混入を嫌うフレキシブルコンテナの接続方法を実施の一例を示す図1〜図6に基づいて説明する。図1〜図5はこの発明の請求項2のフレキシブルコンテナの接続方法の説明図で、図1はフレキシブルコンテナの排出口と内装の円筒状樹脂フィルム間にゴム製リングをはめた状態の説明図、図2はフレキシブルコンテナの排出口の内装の円筒状樹脂フィルムを投入口の頂部外周面に添わせて垂らした状態の説明図、図3は投入口の頂部外周面にゴム製リングの凹部をはめ合わせた状態の説明図で、(a)図は全体説明図、(b)図は要部拡大断面図、図4は排出口の内装の円筒状樹脂フィルムを縛っていたフィルムしばり紐を解き外して内容物を投入時の説明図、図5はゴム製リングの平面図、図6は投入口上端がフランジの場合のゴム製リングの凹部形状の説明図である。
【００３２】
フレキシブルコンテナの内容物を投入容器の円筒状の投入口から投入するには、先ず図1に示すように、投入容器の投入口の上部に吊支したフレキシブルコンテナ1の図示しない下蓋押さえロープを緩めて下蓋押さえを開放し、下蓋を取り外す。そして、排出口2を本体から引き出し、排出口2を縛った排出口しばり紐3を解いて排出口2を開口する。しかるのち、排出口2から内装の円筒状樹脂フィルム4の先端を引き出し、排出口2と円筒状樹脂フィルム4間に投入容器の投入口の内径よりも上部内径が小径で内面に凹部5を形成した断面凹状のゴム製リング6をはめる。そして、図2に示すように、排出口2の内装の円筒状樹脂フィルム4を投入容器の投入口7の外周面に添わせて垂らす。
【００３３】
次いで、図3(a)に示すように、ゴム製リング6の凹部5を弾力を利用して投入口7の上端外周面にはめ合わせ、排出口2の円筒状樹脂フィルム4の先端を投入口7の上端外周面にゴム製リング6により固定し、フレキシブルコンテナ1を投入口7に接続する。この場合、投入口7の内径Dよりゴム製リング6の上部内径dを10〜20mm小径とすれば、図3(b)に示すように、投入口7の上端内面より排出口2の円筒状樹脂フィルム4が内側に位置する。
【００３４】
しかるのち、図4に示すように、フレキシブルコンテナ1の排出口2の円筒状樹脂フィルム4のフィルムしばり紐8を解き外し、フレキシブルコンテナ1の内容物を排出口2の円筒状樹脂フィルム4を介して投入口7より投入容器に投入する。この場合、排出口2の円筒状樹脂フィルム4にたるみが生じ、ゴム製リング6の上面との間に溜まりが生じても、内容物の投入完了後に排出口2の円筒状樹脂フィルム4を手で内側に寄せてやれば、溜まった内容物がすべて投入口7に落下する。
【００３５】
フレキシブルコンテナ1の内容物の投入が完了すれば、ゴム製リング6の凹部5を投入口7の上端外周面から取り外したのち、排出口2の円筒状樹脂フィルム4を投入口7の上端外周面から離脱させ、ゴム製リング6を抜き出すとともに、投入口7を閉止する。そして、フレキシブルコンテナ1より円筒状樹脂フィルム4を抜き出して廃棄する。しかるのち、排出口2を排出口しばり紐3で縛ってフレキシブルコンテナ1の底面の開口に押し込み、図示しない下蓋を底面の開口に被せて、下蓋押さえロープを絞って下蓋押さえで下蓋を固定して底面の開口を閉じたのち、フレキシブルコンテナ1を吊り降ろし、フレキシブルコンテナ1からの内容物の投入を完了する。
【００３６】
この場合、ゴム製リング6は、図5に示すように、上部内径より下部内径を大きくすれば、投入口7の上部外周面へのはめ合わせが容易となる。また、ゴム製リング6は、図6に示すように、投入口7の上端がフランジ11の場合は、凹部12をフランジ11の形状に合わせるが、上部内径dは投入口7の内径Dより小径とすることは云うまでもない。
【００３７】
なお、フレキシブルコンテナ1の内容物が異物混入や湿気を許容する場合は、内装の円筒状樹脂フィルム4を使用しないので、ゴム製リング6を排出口2に外はめし、排出口2を投入容器の投入口7の上部外周面に添わせて垂らしたのち、ゴム製リング6の凹部5を弾力を利用して投入口7の上端外周面にはめ合わせ、排出口2を投入口7の上端外周面に固定し、フレキシブルコンテナ1の排出口2を投入口7に接続すればよい。
【００３８】
実施例2
図7はこの発明の請求項3の内容物か異物混入してもよいフレキシブルコンテナの接続方法に用いる接続治具の一例を示す断面図、図8は接続治具を用いたフレキシブルコンテナの接続方法の説明図である。
【００３９】
図7に示すように、接続治具21は、上端にフレキシブルコンテナの排出口が外周面に添って垂らせる上端接続部22を有し、上端接続部22下から下方に行くにしたがって小径となる載置部23を有している。
【００４０】
図8に示すように、投入容器の投入口7の頂部に接続治具21の載置部23をセットする。そして、フレキシブルコンテナ1の排出口しばり紐3で縛った状態の排出口2にゴム製リング6を外はめしたのち、排出口2の先端を接続治具21の上端接続部22の外周面に添って垂らす。しかるのち、ゴム製リング6の弾力を利用して凹部5を接続治具21の上端接続部22外周面にはめ合わせ、排出口2を接続治具21の上端接続部22外周面に固定し、フレキシブルコンテナ1の排出口2を接続治具21を介して投入口7に接続する。
【００４１】
したがって、投入口7の頂部内径が載置部23の上端外径D1から下方の外径D2までの範囲であれば、接続治具21と1個のゴム製リング6により対応することができ、投入口7の頂部内径に応じて多数のゴム製リングを準備しておく必要はない。
【００４２】
【発明の効果】
この発明の請求項1のフレキシブルコンテナの接続方法は、排出口を投入容器の投入口の外周面に添わせて垂らし、ゴム製リングの凹部を投入口上端外周にはめ合わせて接続することによって、ゴム製リングで絞られた投入口先端部の排出口の内径は、投入口先端内径よりも小径となるため、排出口がたるんでも手でたるみ部を持ち上げれば内容物を無駄なく、安全、容易に投入容器に投入することができる。
【００４３】
この発明の請求項2のフレキシブルコンテナの接続方法は、排出口の円筒状樹脂フィルムを投入容器の投入口の外周面に添わせて垂らし、ゴム製リングの凹部を投入口上端外周にはめ合わせて接続することによって、ゴム製リングで絞られた投入口先端部の円筒状樹脂フィルムの内径は、投入口先端内径よりも小径となるため、円筒状樹脂フィルムがたるんでも手でたるみ部を持ち上げれば内容物を無駄なく、安全、容易に投入容器に投入することができる。
【００４４】
また、この発明の請求項3のフレキシブルコンテナの接続方法は、接続治具の載置部を投入容器の投入口にセットし、排出口を接続治具の上端接続部外周面に添わせて垂らし、ゴム製リングの凹部を接続治具の接続部外周にはめ合わせることによって、ゴム製リングで絞られた接続治具の上端接続部の排出口の内径は、上端フランジ部内径よりも小径となるため、排出口がたるんでも手でたるみ部を持ち上げれば内容物を無駄なく、安全、容易に投入容器に投入することができる。また、接続治具は、載置部を下方にいくほど小径としたことによって、載置部の上端から下端の外径までの内径を有する投入口にセットでき、内径の異なる投入口に1個の接続治具とゴム製リングで対応することができる。
【図面の簡単な説明】
【図１】フレキシブルコンテナの排出口と円筒状樹脂フィルム間にゴム製リングを外はめした状態の説明図である。
【図２】フレキシブルコンテナの排出口の円筒状樹脂フィルムを投入口の頂部外周面に添わせた状態の説明図である。
【図３】投入口の頂部外周面にゴム製リングの凹部をはめ合わせて接続した状態の説明図で、(a)図は全体説明図、(b)図は要部拡大断面図である。
【図４】円筒状樹脂フィルムを縛っていたフィルムしばり紐を解き外して内容物を投入時の説明図である。
【図５】ゴム製リングの平面図である。
【図６】投入口がフランジの場合のゴム製リングの凹部の説明図で、(a)図はゴム製リングの断面図、(b)図は投入口の断面図である。
【図７】この発明の請求項2のフレキシブルコンテナの接続方法に用いる接続治具の一例を示す断面図である。
【図８】接続治具を用いたフレキシブルコンテナの接続方法の説明図である。
【図９】円筒型のフレキシブルコンテナの正面図である。
【図１０】従来のフレキシブルコンテナの内装材として円筒状樹脂フィルムを使用時の接続方法の説明図である。
【図１１】円筒状樹脂フィルムと投入容器の投入口間に内容物が溜まった状態の要部断面図である。
【符号の説明】
1、111  フレキシブルコンテナ
2、95、112  排出口
3、100、113  排出口しばり紐
4、104、114  円筒状樹脂フィルム
5、12  凹部
6  ゴム製リング
7、115  投入口
8、117  フィルムしばり紐
11  フランジ
21  接続治具
22  上端接続部
23  載置部
91  本体
92  係止ベルト
93  吊りロープ
94  注入口
96  注入口しばり紐
97  上蓋
98  上蓋押さえ
99  上蓋押さえロープ
101  下蓋
102  下蓋押さえ
103  下蓋押さえロープ
116  紐
121  隙間
【図１】
0004084496.tif 000002
【図２】
0004084496.tif 000003
【図３】
0004084496.tif 000004
【図４】
0004084496.tif 000005
【図５】
0004084496.tif 000006
【図６】
0004084496.tif 000007
【図７】
0004084496.tif 000008
【図８】
0004084496.tif 000009
【図９】
0004084496.tif 000010
【図１０】
0004084496.tif 000011
【図１１】
0004084496.tif 000012